(57)【要約】【課題】容器本体と蓋体との完全密閉を少ない資材で行うことができて、電子レンジに掛けたときの蒸気抜きも確実に行うことのできる包装用容器を、簡単な構成によって提供すること。【解決手段】容器本体１０と、この容器本体１０側の本体フランジ１１に、蓋フランジ２１にて嵌合される蓋体２０と、本体フランジ１１と蓋フランジ２１との境界部を外側から密閉する粘着テープ３０とからなる包装用容器１００であって、本体フランジ１１または蓋フランジ２１のいずれか少なくとも一方に排気部４０を形成したこと。【選択図】図１
2007276835.tif 000002
【特許請求の範囲】
【請求項１】
容器本体と、この容器本体側の本体フランジに、蓋フランジにて嵌合される蓋体と、前記本体フランジと蓋フランジとの境界部を外側から密閉する粘着テープとからなる包装用容器であって、
前記本体フランジまたは蓋フランジのいずれか少なくとも一方に排気部を形成したことを特徴とする包装用容器。
【発明の詳細な説明】
【技術分野】
【０００１】
本発明は、容器本体に蓋体を嵌合させるタイプの包装用容器に関し、特に、容器本体と蓋体との境界部を粘着テープによって封緘した包装用容器に関するものである。
【背景技術】
【０００２】
容器本体と蓋体とからなる包装用容器は、合成樹脂シートによって安価にかつ衛生的に製造できることから、近年においては、コンビニエンスストアやスーパー等の大型店舗を代表として多用されているものである。特に、この種の蓋付き包装用容器は、お弁当や惣菜を収納する「ワンウエイ包装材」として極めて便利なものであり、その収納物も多岐に渡ってきている。
【０００３】
この種の容器本体と蓋体とからなる包装用容器は、これをお弁当や惣菜を収納するものとして使用される場合、容器本体に蓋体を嵌合させて両者の固定を行うために「ゴムバンド」を掛けたり、さらには、中の煮汁が外に出ないようにするため、あるいは外から異物が中に混入しないようにするために、全体をシュリンクフィルムで包み込むことがなされている。
【０００４】
そして、以上のようなシュリンクフィルムで包装したお弁当用あるいは惣菜用の包装用容器は、店頭で、あるいは家に持ち帰ってから電子レンジに掛けて中身の温めがなされることがあるが、その場合に、お弁当や惣菜から水蒸気が発生して容器を変形させるだけでなく、熱くなった容器からシュリンクフィルムを外さなければならない。
【０００５】
さらに、上記の「シュリンクフィルム」は、包装容器の上に掛けられる包装材であるから、所謂「屋上屋を重ねる」ことになってゴミ問題を大きくするだけでなく、資源の無駄遣いともなっているのである。
【０００６】
すなわち、この種の容器本体と蓋体からなる包装用容器では、中身を収納したときには、容器本体と蓋体との密閉を確実にしたいし、電子レンジに掛けるときには水蒸気の排出が良好に行えるようにしたい、といった相反する要請がある。さらには、そのような要請を満足させるために、余り資材を使用しないようにして、ゴミの減量や資材の無駄遣いをも無くさなければならないのである。このような観点から、本発明者が種々検討したところ、次のような特許文献１及び２が見いだされた。
【特許文献１】実開昭６２−９９５６７号公報、請求の範囲、第１図
【特許文献２】特開２００５−３２９９８４号公報、要約、代表図
【発明の開示】
【発明が解決しようとする課題】
【０００７】
特許文献１には、図７に示すように、「トレーと蓋とを備え内容物を包装したまま加熱装置によって前記内容物を加熱可能な包装容器であって、前記トレーと前記蓋との間に前記包装容器の内外を連通する通気路を形成してなる」ものであり、この「通気路」から加熱時に発生するであろう水蒸気を外部に排出できるものと考えられる。
【０００８】
しかしながら、この特許文献１の「加熱用の包装容器」では、図７に示したように、排気用の「通気路」だけを形成したものであるから、例えば搬送時等において必要な全体の「密閉性」は不足するものと考えられ、煮汁が零れ出たり、異物が内部に混入する可能性を内在していて、十分な包装用容器とは言えない。
【０００９】
また、特許文献２には、「容器の形状、大きさ、材質等の制約を受けず、容器内外のガスの出入を遮断する密封容器包装体を提供する」ことを目的としてなされた「密封容器包装体」が示されている。
【００１０】
この「密封容器包装体」は、図８にも示すように、「蓋および容器本体を重合して用いる容器の包装体において、蓋と容器本体の重合部の隙間に液体を保持して容器内外のガスの出入を遮断する」という構成を有するものであり、図中に示されているように「接着テープ」によって密閉するようにしたものである。
【００１１】
この特許文献２におけるように、容器本体と蓋体との間を「接着テープ」によって密閉するようにすれば、両者の密閉を行うに当たって、上述したような「シュリンクフィルム」を使用せずに済むから、ゴミ問題も資源利用の面からも有効であると考えられる。
【００１２】
しかしながら、今度は、この特許文献２では「蒸気抜きを如何にするか」という問題が浮上してきて、本発明者が苦慮している問題解決には至らないものとなっている。
【００１３】
そこで、本発明者等は、このシュの容器本体と蓋体とからなる包装用容器について、両者の完全密閉を少ない資材で行うことができて、電子レンジに掛けたときの蒸気抜きを簡単な構成によって完成するにはどうしたらよいか、について種々検討を重ねてきた結果、本発明を完成したのである。
【００１４】
すなわち、本発明の目的とするところは、容器本体と蓋体との完全密閉を少ない資材で行うことができて、電子レンジに掛けたときの蒸気抜きも確実に行うことのできる包装用容器を、簡単な構成によって提供することにある。
【課題を解決するための手段】
【００１５】
以上の課題を解決するために、本発明の採った手段は、後述する最良形態の説明中で使用する符号を付して説明すると、
「容器本体１０と、この容器本体１０側の本体フランジ１１に、蓋フランジ２１にて嵌合される蓋体２０と、本体フランジ１１と蓋フランジ２１との境界部を外側から密閉する粘着テープ３０とからなる包装用容器１００であって、
本体フランジ１１または蓋フランジ２１のいずれか少なくとも一方に排気部４０を形成したことを特徴とする包装用容器１００」
である。
【００１６】
すなわち、本発明に係る包装用容器１００は、図１の（１）及び（２）に概略的に示すように、お弁当や惣菜を収納するための容器本体１０と、この容器本体１０側の本体フランジ１１に蓋フランジ２１にて嵌合される蓋体２０と、この蓋体２０の蓋フランジ２１と本体フランジ１１との境界部を外側から密閉する粘着テープ３０とからなることを基本構成とするものである。
【００１７】
つまり、この包装用容器１００は、合成樹脂シートによって所謂「シート成形」した容器本体１０及び蓋体２０を備えていて、これらの容器本体１０及び蓋体２０の嵌合時における境界部分に、粘着テープ３０を貼付することによって内部を密閉するようにしたものである。これらの容器本体１０及び蓋体２０は、十分なガスバリア性を有する合成樹脂シートによってシート成形されるものであるから、その開口部、つまり互いに嵌合される部分においてしか開口していないので、この部分に粘着テープ３０を貼付すれば、内部は完全に密閉されることになる。
【００１８】
従って、この包装用容器１００は、容器本体１０と、この容器本体１０側の本体フランジ１１に、蓋フランジ２１にて嵌合される蓋体２０と、本体フランジ１１と蓋フランジ２１との境界部を外側から密閉する粘着テープ３０とからなることによって、まず、容器本体１０に蓋体２０を嵌合したときの密閉性が確保できているのであり、その密閉状態を粘着テープ３０の貼付によって行っているから、全体をシュリンクフィルムによって包み込むことに比較すれば、密閉のための包装資材を必要最小限のものとしている。
【００１９】
そして、本発明に係る包装用容器１００においては、図１〜図６に示すように、その本体フランジ１１または蓋フランジ２１のいずれか少なくとも一方に排気部４０が形成してある。
【００２０】
この排気部４０は、凹溝４１単独、あるいはこの凹溝４１と小開口４２との組合せで構成されるものであり、これらの凹溝４１や小開口４２、及びこれらの組合せは、後述する最良形態で示すように、種々な態様のものが考えられる。
【００２１】
例えば、図１及び図２に示した最良形態では、この排気部４０は、容器本体１０の本体フランジ１１に形成した連続状の凹溝４１によって形成される。勿論、この凹溝４１の一部、特に、図１の（２）に示すように、本体フランジ１１のスカート部１１ａに形成されている部分は、外部と通ずるものとしておく必要がある。何故なら、スカート部１１ａに形成されている凹溝４１は、粘着テープ３０によって塞がれてしまわないようにしておいて、この部分から内部に発生した水蒸気が外部に排出される必要があるからである。なお、この場合には、蓋体２０の蓋フランジ２１側には何らの加工も必要はない。
【００２２】
図２に示した凹溝４１は、蓋体２０の蓋フランジ２１側に形成して実施してもよい。この場合には、容器本体１０の本体フランジ１１側には何らの加工もする必要がなくなることは、上述した場合と同様である。このことが、本体フランジ１１または蓋フランジ２１のいずれか少なくとも一方に排気部４０を形成する、ということである。
【００２３】
また、排気部４０の構成要素として、図４に示す最良形態では、蓋フランジ２１に形成した小開口４２だけになる。蓋フランジ２１には粘着テープ３０は貼付されないから、この蓋フランジ２１に小開口４２を形成しておいても、粘着テープ３０によって塞がれることはない。しかも、図４の（１）に示すように、当該包装用容器１００内に圧力が発生していなければ、この小開口４２は、その下側に位置している本体フランジ１１によって完全に塞がれているから、この小開口４２から包装用容器１００内に異物が入り込むことはないし、包装用容器１００内の密閉性も確保されている。
【００２４】
ここで、当該包装用容器１００を電子レンジに掛けると、内部の惣菜等から水蒸気が発生する。このとき、容器本体１０に蓋体２０が嵌合されていて、しかもその境界部分は粘着テープ３０によって塞がれているから、図４の（２）中の矢印にて示すように水蒸気による内圧が掛かることになる。この内圧によって、本体フランジ１１と蓋フランジ２１との間には隙間が形成されるから、その時に、図４の（２）中に示した矢印のように、水蒸気は小開口４２から外部に排出されるのである。
【００２５】
勿論、以上の凹溝４１の形成位置は、図３に示すように、本体フランジ１１に連なるスカート部１１ａだけに形成して実施することが可能であり、図５の（２）に示すように、容器本体１０に蓋体２０を嵌合したときに互いに連通するように、蓋フランジ２１及び本体フランジ１１のスカート部１１ａにそれぞれ形成することも可能である。すなわち、これらの凹溝４１や小開口４２は、図６の（１）〜（４）に示すような種々な態様があり、これらの凹溝４１と小開口４２との組合せも十分可能である。
【００２６】
以上、いずれの場合も、陳列時のような通常時においては、当該包装用容器１００内の密閉性は十分確保されているのであり、これを電子レンジに掛けて加熱したときには、排気部４０によって水蒸気の外部への排出がなされるから、包装用容器１００が大きく変形したりすることもなく、さらには、当該包装用容器１００を開けるときには、粘着テープ３０を単に剥がすだけでよいものとなっているのである。
【００２７】
従って、本発明に係る包装用容器１００では、
容器本体１０と蓋体２０との完全密閉を少ない資材で行うことができて、電子レンジに掛けたときの蒸気抜きも確実に行うことのできるものとなっているのである。
【発明の効果】
【００２８】
以上、説明した通り、本発明においては、
「容器本体１０と、この容器本体１０側の本体フランジ１１に、蓋フランジ２１にて嵌合される蓋体２０と、本体フランジ１１と蓋フランジ２１との境界部を外側から密閉する粘着テープ３０とからなる包装用容器１００であって、
本体フランジ１１または蓋フランジ２１のいずれか少なくとも一方に排気部４０を形成したこと」
にその構成上の特徴があり、これにより、容器本体１０と蓋体２０との完全密閉を少ない資材で行うことができて、電子レンジに掛けたときの蒸気抜きも確実に行うことのできる包装用容器１００を、簡単な構成によって提供することができるのである。
【発明を実施するための最良の形態】
【００２９】
次に、本発明を種々な実施例に従って説明すると、図１には、本発明を適用した包装用容器１００の部分斜視図が示してあり、特に、図１の（１）では、容器本体１０の本体フランジ１１と、これに嵌合した蓋体２０の蓋フランジ２１との境界部分に粘着テープ３０を貼付して内部の密閉性を確保した状態が示してある。この粘着テープ３０を剥がすと、図１の（２）に示したように、排気部４０である凹溝４１が見えてくるのであるが、この凹溝４１の、本体フランジ１１のスカート部１１ａに形成した部分は外部に露出したものとなっている。
【００３０】
なお、この図１に示した最良形態に係る包装用容器１００は、全体が略四角形状のものであるが、そのコーナー部にも凹溝４１が形成してある。このコーナー部の凹溝４１は、例えば図６の（４）に示すように形成したものであり、後述する図３に示した最良形態の場合と同様な機能を発揮するものである。
【００３１】
この包装用容器１００を構成している両容器本体１０及び蓋体２０は、両方とも合成樹脂シートによって形成することもあるし、容器本体１０についてのみ発泡ポリスチレンによって形成し、これに嵌合される蓋体２０についてはシートによって形成することもなされる。勿論、これらの容器本体１０及び蓋体２０は、その開口部周辺に位置する本体フランジ１１及び蓋フランジ２１を有しているものであり、本体フランジ１１に蓋フランジ２１を嵌合させることにより、これらの容器本体１０及び蓋体２０は内部が密閉状態となる包装用容器１００を構成することになる。
【００３２】
そして、本体フランジ１１はスカート部１１ａを、また蓋フランジ２１はスカート部２１ａを、それぞれ本体フランジ１１または蓋フランジ２１の外周辺に連続的に形成したものであり、これらのスカート部１１ａまたは２１ａに凹溝４１が形成されたり、そのまま平面にしたりされる。なお、容器本体１０側については、本体フランジ１１とスカート部１１ａとの間に段部１１ｂを形成しておき、この段部１１ｂに蓋フランジ２１側のスカート部２１ａの下端を、凹溝４１以外の部分で当接させるように嵌合される。これにより、蓋体２０の容器本体１０に対する位置決めと、両者の境界部分に隙間が発生しないようにしてある。
【００３３】
さて、図１に示した最良形態のものでは、図２に示すような機能を発揮する。つまり、この最良形態の包装用容器１００では、その凹溝４１である排気部４０の両端が包装用容器１００の内外に開口しているが、この凹溝４１は小さなものであるし、その外端は下向きに開口している。このため、この凹溝４１によって包装用容器１００内に異物が混入することはなく、包装用容器１００内の液汁が漏れ出ることもない。
【００３４】
このため、この包装用容器１００を電子レンジに掛けて加熱したとき、水蒸気は図２の矢印にて示したように、この凹溝４１から外部に排出されるのである。
【００３５】
図３には別の実施例が示してあるが、この例では、図２で示した凹溝４１の、本体フランジ１１上部分に対応するものがないものである。このため、通常時では、図３の（１）に示したように、本体フランジ１１と蓋フランジ２１とは互いに密着状態にあり、包装用容器１００内の密閉性は完全に確保されている。
【００３６】
ここで、当該包装用容器１００を電子レンジに掛けて内部の加熱を行うと水蒸気が発生するから、包装用容器１００内の内圧が高まる。そうすると、密着し合っていた本体フランジ１１と蓋フランジ２１とは、図３の（２）に示したように上記の内圧によって開くことになり、この開いた部分から、図中の矢印にて示したように、内部の水蒸気が外部に排出されることになる。
【００３７】
図４に示した実施例では、排気部４０として蓋フランジ２１に開けた小開口４２を採用したものである。この小開口４２は、当該包装用容器１００が通常時にあるときは、図４の（１）に示したように、その下方に本体フランジ１１が位置しているから塞がれているが、包装用容器１００の加熱によってその中に水蒸気が発生すれば、内圧が高まって、図４の（２）に示したように、水蒸気はこの小開口４２から外部に排出されることになる。
【００３８】
図５に示した最良形態は、図５の（２）に示したように、本体フランジ１１側にも蓋フランジ２１側にも排気部４０となる凹溝４１を形成したものである。この場合、容器本体１０側では本体フランジ１１に連続するスカート部１１ａにのみ凹溝４１を形成しておき、蓋フランジ２１側の凹溝４１については、その外端がスカート部１１ａ側の凹溝４１の内端に連なるように形成したものである。
【００３９】
これにより、図５の（１）中の矢印にて示したように、包装用容器１００内に発生した水蒸気は、これらの連続している両凹溝４１を通して外部に排出されることになるのである。
【００４０】
図６には、排気部４０となるべき凹溝４１や小開口４２の例が示してあり、（１）では蓋体２０の蓋フランジ２１に排気部４０となる小開口４２を形成し、スカート部２１ａに内方に突出する複数の凹溝４１を形成するようにしたものを示す。この場合、凹溝４１を横方向に長いものとしておくことにより、これらと容器本体１０側のスカート部１１ａとの密接によって内部の気密性を確保するとともに、各凹溝４１の間が小開口４２とともに排気部４０となるものである。
【００４１】
図６の（２）は、図２に示したものを斜視図として示しているものであり、図６の（３）は、（２）に示した凹溝４１を複数形成した例を示しているものである。また、図６の（２４は、前述した通り、図１に示した包装用容器１００のコーナー部に形成した凹溝４１を示したものである。
【図面の簡単な説明】
【００４２】
【図１】本発明に係る包装用容器を示すもので、（１）は粘着テープを貼付したときの部分斜視図、（２）はこの粘着テープを部分的に剥がしたときの部分斜視図である。
【図２】図１中の１−１線に沿って見た部分拡大断面図である。
【図３】同包装用容器の他の実施例を示すもので、（１）は通常時の部分断面図、（２）は水蒸気を排出しているときの部分断面図である。
【図４】同包装用容器のさらに他の実施例を示すもので、（１）は通常時の部分断面図、（２）は水蒸気を排出しているときの部分断面図である。
【図５】同包装用容器の別の実施例を示すもので、（１）は通常時の部分断面図、（２）は（１）の構成を示す分解斜視図である。
【図６】同包装用容器において採用されている排気部の、（１）〜（４）の各態様を示す部分斜視図である。
【図７】従来技術を示す部分断面図である。
【図８】従来の他の技術を示す説明図である。
【符号の説明】
【００４３】
１００    包装用容器
１０    容器本体
１１    本体フランジ
１１ａ  スカート部
１１ｂ  段部
２０    蓋体
２１    蓋フランジ
２１ａ  スカート部
３０    粘着テープ
４０    排気部
４１    凹溝
４２    小開口
【図１】
2007276835.tif 000003
【図２】
2007276835.tif 000004
【図３】
2007276835.tif 000005
【図４】
2007276835.tif 000006
【図５】
2007276835.tif 000007
【図６】
2007276835.tif 000008
【図７】
2007276835.tif 000009
【図８】
2007276835.tif 000010